(57)【特許請求の範囲】
【請求項１】
光源ランプと、
前記光源ランプを冷却する冷却手段と、
直前に光源ランプを消灯した時刻から現時刻までの消灯時間を示す消灯時間情報を求める消灯時間計測部と、
前記光源ランプの過去の点灯の成否の履歴である点灯実績、前記冷却手段を動作させる冷却時間として前記消灯時間情報に示される消灯時間に応じた複数の冷却時間、前記点灯実績に対して定められた第１の閾値を記憶する格納部と、
前記光源ランプを点灯させる際に、点灯実績と、前記消灯時間計測部が求めた消灯時間に応じて前記格納部に記憶されている冷却時間と、前記第１の閾値とを読み出し、前記点灯実績に示される点灯の成功数が前記第１の閾値を超えるものである場合には読み出した冷却時間から所定時間を減じて前記冷却手段を動作させる冷却時間値を算出する制御部と、
を有することを特徴とする光源ランプ点灯装置。
【請求項２】
請求項１に記載の光源ランプ点灯装置において、
前記格納部は、前記点灯実績に対して定められた第２の閾値を記憶し、
前記制御部は、前記光源ランプを点灯させる際に前記第２の閾値も読み出し、前記点灯実績に示される点灯の成功数が前記第１の閾値を超えるものでなく、点灯の失敗数が前記第２の閾値を超えるものである場合には読み出した冷却時間に所定時間を加えて前記冷却手段を動作させる冷却時間値とすることを特徴とする光源ランプ点灯装置。
【請求項３】
請求項１または請求項２に記載の光源ランプ点灯装置において、
前記光源ランプの現在までの累積点灯時間を計測する累積点灯時間計測部を有し、
前記格納部には、前記冷却手段を動作させる冷却時間として前記消灯時間情報に示される消灯時間に応じた複数の冷却時間が記述されたテーブルが、前記累積点灯時間に応じて複数格納され、
前記制御部は、前記光源ランプを点灯させる際に、前記点灯実績および累積点灯時間に応じて前記格納部に記憶されている冷却時間を用いて前記冷却時間値を算出することを特徴とする光源ランプ点灯装置。
【請求項４】
請求項１ないし請求項３のいずれかに記載の光源ランプ点灯装置を備えたプロジェクター。
【請求項５】
光源ランプを冷却する冷却手段を用いた光源ランプ点灯方法であって、
消灯時間計測部が、直前に光源ランプを消灯した時刻から現時刻までの消灯時間を示す消灯時間情報を求め、
格納部が、前記光源ランプの過去の点灯の成否の履歴である点灯実績、前記冷却手段を動作させる冷却時間として前記消灯時間情報に示される消灯時間に応じた複数の冷却時間、前記点灯実績に対して定められた第１の閾値を記憶させ、
制御部が、前記光源ランプを点灯させる際に、点灯実績と、前記消灯時間計測部が求めた消灯時間に応じて前記格納部に記憶されている冷却時間と、前記第１の閾値とを読み出し、前記点灯実績に示される点灯の成功数が前記第１の閾値を超えるものである場合には読み出した冷却時間から所定時間を減じて前記冷却手段を動作させる冷却時間値を算出することを特徴とする光源ランプ点灯方法。
【請求項６】
請求項５に記載の光源ランプ点灯方法において、
前記格納部が、前記点灯実績に対して定められた第２の閾値を記憶し、
前記制御部が、前記光源ランプを点灯させる際に前記第２の閾値も読み出し、前記点灯実績に示される点灯の成功数が前記第１の閾値を超えるものでなく、点灯の失敗数が前記第２の閾値を超えるものである場合には読み出した冷却時間に所定時間を加えて前記冷却手段を動作させる冷却時間値とすることを特徴とする光源ランプ点灯方法。
【請求項７】
請求項５または請求項６に記載の光源ランプ点灯方法において、
累積点灯時間計測部が前記光源ランプの現在までの累積点灯時間を計測し、
前記格納部が、前記冷却手段を動作させる冷却時間として前記消灯時間情報に示される消灯時間に応じた複数の冷却時間が記述されたテーブルが、前記累積点灯時間に応じて複数格納し、
前記制御部が、前記光源ランプを点灯させる際に、前記点灯実績および累積点灯時間に応じて前記格納部に記憶されている冷却時間を用いて前記冷却時間値を算出することを特徴とする映像表示方法。
【発明の詳細な説明】
【技術分野】
【０００１】
本発明は、光源ランプ点灯装置および方法、プロジェクターに関する。
【背景技術】
【０００２】
プロジェクターの光源として使用される高圧放電ランプは、消灯した直後は高温であり、ランプ内部の圧力が高くなっている。一般に高圧放電ランプは高圧状態では放電しづらく、消灯した直後の高圧状態で再点灯を試みても、点灯しないことがある。このような状態で再点灯するために電圧を複数回印加すると、高圧放電ランプの電極が劣化するおそれがある。【０００３】
高圧放電ランプの再点灯の失敗を回避するための方法として、高圧放電ランプの内圧が低くなり、放電に適した温度に冷却されるように消灯時間を十分に長く取ることが挙げられる。このとき、高圧放電ランプの消灯時間が長すぎると、利用者がプロジェクターを利用できるまでの時間が長くなり、利便性が低下する。【０００４】
高圧放電ランプの消灯時間を短縮するために、ファンやペルチェ素子などの冷却機構を備え、高圧放電ランプを冷却するプロジェクターも提案されている。【０００５】
冷却機構を動作させる冷却時間を決定するための技術が特許文献１に開示されている。特許文献１に開示されたプロジェクターでは、消灯時間に応じて予め定められた冷却時間が用いられており、消灯時間が短いほど冷却時間は長いものとされ、消灯時間が長いほど冷却時間は短いものとされている。
【先行技術文献】
【特許文献】
【０００６】
【特許文献１】特許第３７９２６４１号公報
【発明の概要】
【発明が解決しようとする課題】
【０００７】
上述したように、高圧放電ランプを点灯する際には、高圧放電ランプが放電に適した温度であることが重要となる。放電に適した温度となるまでに必要とされる冷却時間は、プロジェクターの使用状況によっても変化することから、特許文献１に開示されたプロジェクターでは、消灯時間に応じて予め定められた冷却時間が用いられている。【０００８】
しかしながら、放電に適した温度自体がプロジェクターの個体差によって異なる。このため、消灯時間や温度が同じ場合でも、高圧放電ランプが点灯可能な状態になるまでの冷却時間は装置ごとに異なる。従って、特許文献１に開示された技術では、装置によっては必要以上に長い時間、高圧放電ランプを冷却することがあり、利用者がプロジェクターを利用できるまでに必要以上の時間を要する場合があった。【０００９】
本発明の目的は、装置の個体差を考慮し、装置ごとに適した冷却時間により高圧放電ランプを冷却する光源ランプ点灯装置および方法を提供することにある。
【課題を解決するための手段】
【００１０】
上記目的を達成するために、本発明の光源ランプ点灯装置は、
光源ランプと、
前記光源ランプを冷却する冷却手段と、
直前に光源ランプを消灯した時刻から現時刻までの消灯時間を示す消灯時間情報を求める消灯時間計測部と、
前記光源ランプの過去の点灯の成否の履歴である点灯実績、前記冷却手段を動作させる冷却時間として前記消灯時間情報に示される消灯時間に応じた複数の冷却時間、前記点灯実績に対して定められた第１の閾値を記憶する格納部と、
前記光源ランプを点灯させる際に、点灯実績と、前記消灯時間計測部が求めた消灯時間に応じて前記格納部に記憶されている冷却時間と、前記第１の閾値とを読み出し、前記点灯実績に示される点灯の成功数が前記第１の閾値を超えるものである場合には読み出した冷却時間から所定時間を減じて前記冷却手段を動作させる冷却時間値を算出する制御部と、
を有することを特徴とする。【００１１】
本発明のプロジェクターは、上記の光源ランプ点灯装置を備えている。【００１２】
本発明の光源ランプ点灯方法は、光源ランプを冷却する冷却手段を用いた光源ランプ点灯方法であって、
消灯時間計測部が、直前に光源ランプを消灯した時刻から現時刻までの消灯時間を示す消灯時間情報を求め、
格納部が、前記光源ランプの過去の点灯の成否の履歴である点灯実績、前記冷却手段を動作させる冷却時間として前記消灯時間情報に示される消灯時間に応じた複数の冷却時間、前記点灯実績に対して定められた第１の閾値を記憶させ、
制御部が、前記光源ランプを点灯させる際に、点灯実績と、前記消灯時間計測部が求めた消灯時間に応じて前記格納部に記憶されている冷却時間と、前記第１の閾値とを読み出し、前記点灯実績に示される点灯の成功数が前記第１の閾値を超えるものである場合には読み出した冷却時間から所定時間を減じて前記冷却手段を動作させる冷却時間値を算出することを特徴とする。
【発明の効果】
【００１３】
本発明によれば、高圧放電ランプを再点灯する前の冷却時間を装置ごとに決定することができる。
【図面の簡単な説明】
【００１４】
【図１】本発明によるプロジェクターの第１の実施形態の構成を示すブロック図である。
【図２】（ａ）〜（ｅ）は、冷却時間を算出するために使用される変数の例を示す図である。
【図３】図１に示したプロジェクター１で光源ランプ１１を点灯するときの処理手順を示すフローチャートである。
【図４】図１に示したプロジェクター１で冷却時間を算出するときの処理手順を示すフローチャートである。
【図５】図１に示したプロジェクター１で光源ランプ１１を消灯するときの処理手順を示すフローチャートである。
【図６】消灯時間計測部１４を省略したプロジェクター１の構成例を示すブロック図である。
【図７】本発明によるプロジェクターの第２の実施形態の構成を示すブロック図である。
【図８】（ａ）〜（d）は累積点灯時間ごとに定められた冷却時間の初期値、最小値および最大値の例を示す図である。
【発明を実施するための形態】
【００１５】
次に本発明について図面を参照して詳細に説明する。
【００１６】
（第１の実施の形態）
図１は、本発明によるプロジェクターの第１の実施形態の要部構成を示すブロック図である。
【００１７】
本実施形態のプロジェクター１は、光源ランプ１１、冷却部１３、消灯時間計測部１４、判定部１５、制御部１６および格納部１７を有する。
【００１８】
映像を投影するための光源である光源ランプ１１は、例えば、メタルハライドランプ、キセノンランプ等の高圧放電ランプであり、制御部１６から入力される駆動信号にしたがって点灯状態が制御される。
【００１９】
冷却部１３は、光源ランプ１１を冷却するための、ファンやペルチェ素子等の冷却手段であり、制御部１６から入力される制御信号にしたがって光源ランプ１１を冷却する。
【００２０】
消灯時間計測部１４はタイマ等の計測手段であり、光源ランプ１１の消灯時間を計測する。消灯時間計測部１４は、制御部１６との通信機能を備え、消灯時間の取得を要求する消灯時間取得要求を制御部１６から受信すると、光源ランプ１１の直前の消灯時間を示す消灯時間情報を制御部１６に送信する。
【００２１】
消灯時間計測部１４は、プロジェクター１の電源部からの電源供給により動作を行うが、プロジェクター１の電源部への電源供給が停止したときには、プロジェクター１に内蔵された電池（不図示）から電源供給を受けて光源ランプ１１の消灯時間を計測する。
【００２２】
判定部１５は、光源ランプ１１の点灯が成功したか否かを判定する判定手段である。判定部１５は、光源ランプ１１に流れる電流値を測定する電流検出回路（不図示）を備えるもので、光源ランプ１１に流れる電流値を測定し、測定した電流値が予め定められた閾値以上であれば、光源ランプ１１の点灯が成功したと判定し、測定した電流値が予め定められた閾値未満であれば、光源ランプ１１の点灯が失敗したと判定する。
【００２３】
判定部１５は、制御部１６から光源ランプ１１を点灯状態としている旨を示す点灯通知を受信すると、光源ランプ１１の点灯が成功したか否かを判定し、光源ランプ１１の点灯が成功したか否かを示す結果通知を制御部１６に送信する。制御部１６では受け取った結果通知を、点灯の成否の履歴である点灯実績として蓄積する。
【００２４】
制御部１６は、プロジェクター１の各部を制御する制御手段である。制御部１６は、光源ランプ１１を点灯させるとき、所定の冷却時間、光源ランプ１１を冷却するための制御信号を冷却部１３に出力し、冷却部１３に光源ランプ１１を冷却させてから、光源ランプ１１を点灯させる。
【００２５】
格納部１７には、冷却時間を算出するために使用する変数が格納される。なお、格納部１７は不揮発性の記憶装置であり、格納部１７に格納された変数は、プロジェクター１への電源供給が停止しても保持される。
【００２６】
制御部１６は、冷却部１３による冷却時間を決定するときに、消灯時間計測部１４に消灯時間取得要求を送信して、消灯時間計測部１４から消灯時間情報を取得する。その後、制御部１６は、消灯時間計測部１４から取得した消灯時間情報に示される消灯時間、蓄積する光源ランプ１１の過去の点灯の成否である点灯実績、ならびに、格納部１７の格納内容に基づいて冷却時間を決定する。
【００２７】
上記のようにして決定した冷却時間の後、制御部１６は、光源ランプ１１を点灯させるが、このときに、判定部１５に点灯通知を送信して光源ランプ１１の点灯が成功したか否かを判定させる。この後、判定部１５から送られてくる結果通知により点灯の成否を確認するとともに点灯実績として蓄積する。
【００２８】
判定部１５および制御部１６は、例えば論理回路等から構成されるＬＳＩ（Large  Scale  Integration）あるいはプログラムにしたがって動作するＣＰＵ（Central  Processing  Unit）やＤＳＰ（Digital  Signal  Processor）等によって実現できる。
【００２９】
なお、プロジェクター１は、映像光を投写するものであり、上記の各構成要素の他に、映像信号を受け付ける入力部や、入力された映像信号による映像光を投写するための光学系を備えるものであるが、これらは一般的な技術を用いて構成されるものであるため、図１には、光源ランプ１１を冷却する構成要素のみを示し、入力部、光学系については不図示とし、説明は省略する。
【００３０】
上述したように、光源ランプ１１を冷却すべき時間は、光源ランプ１１の直前の消灯時間によって異なる。従って、消灯時間が短いときの点灯実績に基づいて消灯時間が長いときの冷却時間を決定したり、消灯時間が長いときの点灯実績に基づいて消灯時間が短いときの冷却時間を決定したりすると、冷却時間が不適切になるおそれがある。そこで、本実施形態では、冷却時間を算出するための変数を消灯時間ごとに定められ、格納部１７に格納している。
【００３１】
図２は、格納部１７の格納内容を示す図である。格納部１７には、冷却時間を算出するために使用される変数が格納されている。なお、図２のかっこ内の数値は各変数の初期値を示している。
【００３２】
格納部１７には、図２（ａ）ないし図２（ｅ）に示されるように５つのテーブル２０１〜２０５が格納されている。これらの各テーブルは、上述した点灯実績を構成する点灯の成功数、失敗数を含む。
【００３３】
テーブル２０１には、光源ランプ１１の直前の消灯時間の長さを判別するための閾値として、第１の時間閾値ＴＯＦＦ＿１、第２の時間閾値ＴＯＦＦ＿２、第３の時間閾値ＴＯＦＦ＿３（ＴＯＦＦ＿１＜ＴＯＦＦ＿２＜ＴＯＦＦ＿３とする）が記述されている。
【００３４】
以降、光源ランプ１１の直前の消灯時間の範囲として、０≦消灯時間＜ＴＯＦＦ＿１の範囲を第１の範囲と称し、ＴＯＦＦ＿１≦消灯時間＜ＴＯＦＦ＿２の範囲を第２の範囲と称し、ＴＯＦＦ＿２≦消灯時間＜ＴＯＦＦ＿３の範囲を第３の範囲と称する。本実施形態では、テーブル２０１〜２０５に示される各変数は、消灯時間の範囲ごとに管理される。
【００３５】
また、テーブル２０１には、光源ランプ１１の点灯が失敗したときに光源ランプ１１を冷却する時間を示す再点灯前冷却時間ＴＣＯＯＬと、光源ランプ１１の点灯が失敗したときに点灯処理をリトライする回数を示すリトライ回数ＣＲＥＴＭＡＸも記述されている。
【００３６】
テーブル２０２には、光源ランプ１１の直前の消灯時間に応じた、冷却時間の初期値ＴＰＣＴＹＰ＿ｎ、最小値ＴＰＣＭＩＮ＿ｎ、および最大値ＴＰＣＭＡＸ＿ｎ（ｎ＝１、２、３）が、光源ランプ１１の直前の消灯時間に応じて記述されている。
【００３７】
なお、冷却時間の初期値、最小値および最大値は、それぞれ、消灯時間が長いほど小さい値が用いられ、消灯時間が短いほど大きな値が用いられている。これにより、消灯時間が長いほど、すなわち、光源ランプ１１の温度が低いほど冷却時間は短くされ、消灯時間が短いほど、すなわち、光源ランプ１１の温度が高いほど冷却時間は長くされる。
【００３８】
テーブル２０３には、冷却時間を短くするための時間幅を示す短縮時間ＴＰＣＤＥＣ＿ｎ、光源ランプ１１の点灯の連続成功回数を判別するための短縮条件ＣＮＴＤＥＣ＿ｎ、冷却時間を長くするための時間幅を示す延長時間ＴＰＣＩＮＣ＿ｎ、光源ランプ１１の点灯の連続失敗回数を判別するための延長条件ＣＮＴＩＮＣ＿ｎ（いずれにおいてもｎ＝１、２、３）が光源ランプ１１の直前の消灯時間に応じて記述されている。
【００３９】
なお、各テーブル２０１〜２０３に示される各変数は、予め定められたものであり、利用者によって再設定可能なものであるが、プロジェクター使用時には固定とされる。
【００４０】
テーブル２０４には、光源ランプ１１の冷却時間を指定するための冷却時間値Ｔｐｃ＿ｎ、光源ランプ１１の点灯の成功回数をカウントするための成功カウント値Ｃｎｔｏｋ＿ｎ、光源ランプ１１の点灯の失敗回数をカウントするための失敗カウント値Ｃｎｔｎｇ＿ｎ（ｎ＝１、２、３）が、光源ランプ１１の直前の消灯時間に応じて記述されている。
【００４１】
なお、冷却時間値Ｔｐｃ＿１、Ｔｐｃ＿２、Ｔｐｃ＿３の初期値は、それぞれ、ＴＰＣＴＹＰ＿１、ＴＰＣＴＹＰ＿２、ＴＰＣＴＹＰ＿３であり、成功カウント値および失敗カウント値の初期値は、全て０である。
【００４２】
テーブル２０５には、光源ランプ１１の冷却時間の下限閾値を示す最小冷却時間変数Ｔｈｍｉｎ＿ｎ、光源ランプ１１の冷却時間の上限閾値を示す最大冷却時間変数Ｔｈｍａｘ＿ｎ（ｎ＝１、２、３）が、光源ランプ１１の直前の消灯時間に応じて記述されている。
【００４３】
なお、Ｔｈｍｉｎ＿１、Ｔｈｍｉｎ＿２、Ｔｈｍｉｎ＿３の初期値は、それぞれ、ＴＰＣＭＩＮ＿１、ＴＰＣＭＩＮ＿２、ＴＰＣＭＩＮ＿３であり、Ｔｈｍａｘ＿１、Ｔｈｍａｘ＿２、Ｔｈｍａｘ＿３の初期値は、それぞれ、ＴＰＣＭＡＸ＿１、ＴＰＣＭＡＸ＿２、ＴＰＣＭＡＸ３である。
【００４４】
次に、図１に示したプロジェクター１で光源ランプ１１を点灯するときの処理手順について説明する。
【００４５】
図３は図１に示したプロジェクター１で光源ランプ１１を点灯するときの処理手順を示すフローチャートである。なお、図３に示したフローチャートでは、処理の開始時、光源ランプ１１は消灯しているものとする。
【００４６】
プロジェクター１で光源ランプ１１を点灯するとき、制御部１６は、まず、消灯時間計測部１４に消灯時間取得要求を送信する。消灯時間計測部１４は消灯時間取得要求を受信すると、直前に光源ランプ１１を消灯した時刻から現時刻までの消灯時間を示す消灯時間情報を制御部１６に送信する。
【００４７】
制御部１６は消灯時間情報を受信すると、消灯時間情報に示される消灯時間が第３の時間閾値ＴＯＦＦ＿３以上であるか否かを判定する（ステップＳ１）。
【００４８】
消灯時間が第３の時間閾値ＴＯＦＦ＿３以上でない場合、制御部１６は、冷却時間を算出する（ステップＳ２）。
【００４９】
以下、ステップＳ２で行われる冷却時間を算出するときの処理手順について説明する。
【００５０】
図４は図１に示したプロジェクター１で冷却時間を算出するときの処理手順を示すフローチャートである。
【００５１】
図４に示すように、制御部１６は、消灯時間が第１の時間閾値ＴＯＦＦ＿１未満であるかを確認し（ステップＳ２１）、消灯時間が第１の時間閾値ＴＯＦＦ＿１未満である場合には冷却時間値としてＴｐｃ＿１を使用する（ステップＳ２２）。
【００５２】
ステップS２１において、消灯時間が第１の時間閾値ＴＯＦＦ＿１未満でないことが確認された場合には、制御部１６は、消灯時間が第２の時間閾値ＴＯＦＦ＿２未満であるかを確認する（ステップＳ２３）。消灯時間が第２の時間閾値ＴＯＦＦ＿２未満である場合には、制御部１６は、冷却時間値としてＴｐｃ＿２を使用する（ステップＳ２４）。
【００５３】
また、ステップS２３において、消灯時間が第２の時間閾値ＴＯＦＦ＿２未満でないことが確認された場合には、制御部１６は、冷却時間値としてＴｐｃ＿３を使用する（ステップＳ２５）。
【００５４】
また、以降の処理において、制御部１６は、消灯時間に関連付けられた変数を使用する。以降の処理で示される変数の「＿ｎ」は、消灯時間が第１の範囲内である場合「＿１」を表し、消灯時間が第２の範囲内である場合「＿２」を表し、消灯時間が第３の範囲内である場合「＿３」を表すものとする。
【００５５】
冷却時間値を決定すると、制御部１６は、成功カウント値Ｃｎｔｏｋ＿ｎが短縮条件ＣＮＴＤＥＣ＿ｎ以上であるか否かを確認する（ステップＳ２６）。
【００５６】
成功カウント値Ｃｎｔｏｋ＿ｎが短縮条件ＣＮＴＤＥＣ＿ｎ以上であることが確認された場合、制御部１６は、冷却時間値Ｔｐｃ＿ｎから短縮時間ＴＰＣＤＥＣ＿ｎを減じ（ステップＳ２７）、成功カウント値Ｃｎｔｏｋ＿ｎを０に初期化し（ステップＳ２８）、ステップＳ２９へ移行する。
【００５７】
また、ステップS２６において、成功カウント値Ｃｎｔｏｋ＿ｎが短縮条件ＣＮＴＤＥＣ＿ｎ以上でないことが確認された場合、制御部１６は、ステップＳ２９へ移行する。
【００５８】
ステップＳ２９では、制御部１６は、冷却時間値Ｔｐｃ＿ｎが最小冷却時間変数Ｔｈｍｉｎ＿ｎ以下であるか否かを確認する（ステップＳ２９）。
【００５９】
冷却時間値Ｔｐｃ＿ｎが最小冷却時間変数Ｔｈｍｉｎ＿ｎ以下であることが確認された場合、制御部１６は、冷却時間値Ｔｐｃ＿ｎに最小冷却時間変数Ｔｈｍｉｎ＿ｎを代入し（ステップＳ３０）、ステップＳ３１へ移行する。
【００６０】
また、ステップS２９において、冷却時間値Ｔｐｃ＿ｎが最小冷却時間変数Ｔｈｍｉｎ＿ｎ以下でないことが確認された場合、制御部１６は、ステップＳ３１へ移行する。
【００６１】
ステップＳ３１では、制御部１６は、冷却時間値Ｔｐｃ＿ｎが最大冷却時間変数Ｔｈｍａｘ＿ｎ以上であるか否かを判定する（ステップＳ３１）。
【００６２】
冷却時間値Ｔｐｃ＿ｎが最大冷却時間変数Ｔｈｍａｘ＿ｎ以上である場合、制御部１６は、冷却時間値Ｔｐｃ＿ｎに最大冷却時間変数Ｔｈｍａｘ＿ｎを代入し（ステップＳ３２）、ステップＳ３３へ移行する。
【００６３】
またステップS３１において、冷却時間値Ｔｐｃ＿ｎが最大冷却時間変数Ｔｈｍａｘ＿ｎ以上でないことが確認された場合、制御部１６は、ステップＳ３３へ移行する。
【００６４】
ステップＳ３３では、制御部１６は、冷却時間値Ｔｐｃ＿ｎを今回の冷却時間として決定する。
【００６５】
次に、光源ランプ１１を点灯するときの処理手順について図３のステップＳ３に戻って説明する。
【００６６】
制御部１６は、光源ランプ１１を冷却するための制御信号を、ステップＳ３３で決定した冷却時間、冷却部１３に出力し続ける。冷却部１３は、制御部１６から制御信号が入力されると、制御信号が入力されている間、光源ランプ１１を冷却する（ステップＳ３）。そして、冷却時間が経過すると、制御部１６は、制御信号の出力を停止し、ステップＳ４へ移行する。また、ステップＳ１で消灯時間が第３の時間閾値ＴＯＦＦ＿３以上であることが確認された場合、制御部１６は、ステップＳ４へ移行する。
【００６７】
ステップＳ４では、制御部１６は、光電ランプ１１を点灯させる駆動信号を出力する（ステップＳ４）。
【００６８】
制御部１６は、光電ランプ１１に駆動信号を出力した後に、点灯通知を判定部１５に送信する。判定部１５は、制御部１６から点灯通知を受信すると光源ランプ１１の点灯が成功したか否かを確認する（ステップＳ５）。
【００６９】
判定部１５は、光源ランプ１１の点灯が成功したことを確認すると、光源ランプ１１の点灯の成否を示す結果通知を制御部１６に送信する。
【００７０】
制御部１６は、判定部１５から光源ランプ１１の点灯が成功した旨を示す結果通知を受信すると、成功カウント値Ｃｎｔｏｋ＿ｎをインクリメントし（ステップＳ６）、失敗カウント値Ｃｎｔｎｇ＿ｎを０に初期化する（ステップＳ７）。
【００７１】
その後、制御部１６は、消灯時間の計測を終了するための消灯時間計測終了要求を消灯時間計測部１４に送信する。制御部１６から消灯時間計測終了要求を受信すると、消灯時間計測部１４は、消灯時間の計測を終了し、消灯時間の計測を終了した旨を示す消灯時間計測終了応答を制御部１６に送信する。そして、消灯時間計測部１４から消灯時間計測終了応答を受信すると、制御部１６は、光源ランプ１１の点灯処理を終了する。
【００７２】
また、制御部１６は、判定部１５からの結果通知が光源ランプ１１の点灯が失敗した旨を示すものである場合には、成功カウント値Ｃｎｔｏｋ＿ｎを０に初期化し（ステップＳ８）、失敗カウント値Ｃｎｔｎｇ＿ｎをインクリメントする（ステップＳ９）。
【００７３】
ステップＳ９の後、制御部１６は、光源ランプ１１を冷却するための制御信号を再点灯前冷却時間ＴＣＯＯＬで示される時間、冷却部１３に出力し続ける。冷却部１３は、制御部１６から該制御信号が入力されている間、光源ランプ１１を冷却する（ステップＳ１０）。
【００７４】
再点灯前冷却時間が経過すると、制御部１６は、制御信号の出力を停止し、光電ランプ１１を点灯させる駆動信号を光電ランプ１１に出力する（ステップＳ１１）。
【００７５】
制御部１６は、光電ランプ１１に駆動信号を出力した後に、点灯通知を判定部１５に送信する。判定部１５は、制御部１６から点灯通知を受信すると、光源ランプ１１の点灯が成功したか否かを確認し（ステップＳ１２）、点灯の成否を示す結果通知を制御部１６に送信する。
【００７６】
制御部１６は、判定部１５から光源ランプ１１の点灯が成功した旨を示す結果通知を受信すると、消灯時間計測終了要求を消灯時間計測部１４に送信する。消灯時間計測部１４は、消灯時間計測終了要求を受信すると、消灯時間の計測を終了し、消灯時間計測終了応答を制御部１６に送信する。制御部１６は、消灯時間計測終了応答を受信すると、光源ランプ１１の点灯処理を終了する。
【００７７】
一方、光源ランプ１１の再点灯が失敗したと判定すると、判定部１５は、光源ランプ１１の点灯が失敗した旨を示す結果通知を制御部１６に送信する。
【００７８】
判定部１５からの結果通知が光源ランプ１１の点灯が失敗した旨を示すものである場合、制御部１６は、再点灯処理をリトライ回数ＣＲＥＴＭＡＸ以上実施されたか否かを確認する（ステップＳ１３）。
【００７９】
ステップＳ１３にて、光源ランプ１１の再点灯処理がリトライ回数以上実施されていないことが確認された場合、制御部１６は、ステップＳ１０へ戻り、光源ランプ１１の再点灯処理をリトライ回数以上実施するまで、ステップＳ１０〜Ｓ１３の処理を繰り返す。
【００８０】
ステップＳ１３にて、光源ランプ１１の再点灯処理がリトライ回数以上実施されたことが確認された場合、制御部１６は、点灯エラーとし、光源ランプ１１の点灯処理を終了する（ステップＳ１４）。
【００８１】
次に、図１に示したプロジェクター１で光源ランプ１１を消灯するときの処理手順について説明する。
【００８２】
図５は図１に示したプロジェクター１で光源ランプ１１を消灯するときの処理手順を示すフローチャートである。
【００８３】
光源ランプ１１を消灯するとき、制御部１６は、まず、失敗カウント値Ｃｎｔｎｇ＿ｎが延長条件ＣＮＴＩＮＣ＿ｎ以上であるか否かを確認する（ステップＳ４１）。
【００８４】
ステップＳ４１において、失敗カウント値Ｃｎｔｎｇ＿ｎが延長条件ＣＮＴＩＮＣ＿ｎ以上であることが確認された場合、制御部１６は、冷却時間値Ｔｐｃ＿ｎに延長時間ＴＰＣＩＮＣ＿ｎを加え（ステップＳ４２）、最小冷却時間変数Ｔｈｍｉｎ＿ｎにも延長時間ＴＰＣＩＮＣ＿ｎを加える（ステップＳ４３）。これは、冷却時間が短くなり過ぎている可能性があるため、以後の処理で冷却時間が短くなり過ぎないようにするためである。
【００８５】
続いて、制御部１６は、失敗カウント値Ｃｎｔｎｇ＿ｎを０に初期化し（ステップＳ４４）、ステップＳ４５へ移行する。
【００８６】
ステップＳ４１において、失敗カウント値Ｃｎｔｎｇ＿ｎが延長条件ＣＮＴＩＮＣ＿ｎ以上でないことが確認された場合には、制御部１６は、ステップＳ４５へ移行する。
【００８７】
ステップＳ４５では、制御部１６は、格納部１７に格納された各変数を更新する。
【００８８】
各変数を更新すると、制御部１６は、光源ランプ１１への駆動信号の出力を停止し、光源ランプ１１を消灯させ（ステップＳ４６）、消灯時間の計測を開始するための消灯時間計測開始要求を消灯時間計測部１４に送信する。
【００８９】
消灯時間計測部１４は、消灯時間計測開始要求を受信すると、消灯時間の計測を開始し（ステップＳ４７）、消灯時間の計測を開始した旨を示す消灯時間計測開始応答を制御部１６に送信する。制御部１６は、消灯時間計測開始応答を受信により、光源ランプ１１の消灯処理を終了する。
【００９０】
なお、本実施形態では、冷却時間を算出するための変数を、光源ランプ１１の消灯時間ごとに管理する例を示したが、本発明はこれに限定されるものではない。
【００９１】
冷却時間を算出するための変数として、光源ランプ１１の消灯時間に応じた３種類の冷却時間値Ｔｐｃ＿１を用いるものとしたが、消灯時間に関わらない定数を用いた構成としてもよい。その場合、プロジェクター１では、消灯時間を計測する必要がなくなる。図６はこのようなプロジェクター１の構成を示す図であり、図示されるように、消灯時間計測部１４を省略した簡略化された構成となる。図４に示したフローチャートはステップＳ２６から開始されることとなり、本発明にはこのような形態も含まれる。
【００９２】
また、プロジェクター１に光源ランプ１１の温度を測定する温度検出部を設けた構成としてもよい。
【００９３】
冷却時間を算出するための変数を光源ランプ１１の温度に応じたものとし、制御部１６は、光源ランプ１１を点灯する前に、光源ランプ１１の温度に応じた変数を用いて冷却時間を算出することとしてもよい。
【００９４】
また、図２（ｃ）では、短縮条件、延長条件、短縮時間および延長時間として、消灯時間に関わらず、同じ値を用いる例を示したが、これらを消灯時間に応じて異なる値を用いることとしてもよい。
【００９５】
以上説明したように、本実施形態によれば、判定部１５は、制御部１６から点灯通知を受信すると、光源ランプ１１の点灯が成功したか否かを判定し、結果通知を制御部１６に送信する。一方、制御部１６は、判定部１５から結果通知を受信すると、光源ランプ１１の点灯が成功した場合には成功カウント値をインクリメントし、光源ランプ１１の点灯が失敗した場合には成功カウント値を０に初期化する。そして、制御部１６は、成功カウント値が短縮条件以上になった場合、冷却時間値から短縮時間を減じ、その冷却時間値を冷却時間とする。
【００９６】
これにより、プロジェクター１は、自装置が備える光源ランプ１１の点灯実績に応じて冷却時間を短縮できる。従って、高圧放電ランプを再点灯する前の高圧放電ランプの冷却時間を装置ごとに決定することができ、高温でも点灯しやすい高圧放電ランプを備えるプロジェクターでは、高圧放電ランプの再点灯前の冷却時間を短縮できる。
【００９７】
また、本実施形態の制御部１６は、光源ランプ１１の点灯が失敗した場合には失敗カウント値をインクリメントし、光源ランプ１１の点灯が成功した場合には失敗カウント値を０に初期化する。そして、制御部１６は、失敗カウント値が延長条件以上となった場合、冷却時間値に延長時間を加え、その冷却時間値を冷却時間とする。
【００９８】
これにより、プロジェクター１は、光源ランプ１１の冷却時間が短くなりすぎた場合に、再度、冷却時間を長くすることができる。従って、光源ランプ１１の点灯失敗を抑制でき、光源ランプ１１の電極の劣化を抑制できる。
【００９９】
（第２の実施の形態）
図７は、本発明によるプロジェクターの第２の実施形態の構成を示すブロック図である。
【０１００】
第１の実施形態が、冷却時間を算出するための各変数を、光源ランプ１１の消灯時間に対応して管理するものであるのに対し、本実施形態では、冷却時間を算出するための各変数が、光源ランプ１１の現在までの累積点灯時間に応じて管理される。
【０１０１】
図７に示すように、第２の実施の形態のプロジェクター１は、第１の実施の形態のプロジェクター１の構成に加えて、累積点灯時間計測部１８を有する。
【０１０２】
累積点灯時間計測部１８は、タイマ等の計測手段であり、光源ランプ１１の現在までの累積点灯時間を計測する。累積点灯時間計測部１８は、制御部１６との通信機能を備え、累積点灯時間の取得を要求する累積点灯時間取得要求を制御部１６から受信すると、累積点灯時間を示す累積点灯時間情報を制御部１６に送信する。
【０１０３】
本実施形態の格納部１７には、予め定められた、冷却時間の初期値、最小値および最大値が、累積点灯時間に関連付けて格納される。そして、制御部１６は、累積点灯時間計測部１８に累積点灯時間取得要求を送信することにより、累積点灯時間計測部１８から累積点灯時間情報を取得し、取得した累積点灯時間情報に示される累積点灯時間に関連付けられた冷却時間の初期値、最小値および最大値を用いて冷却時間を算出する。
【０１０４】
また、制御部１６は、判定部１５から光源ランプ１１の点灯が成功した旨を示す結果通知を受信すると、時間の計測を開始するための計測開始要求を累積点灯時間計測部１８に送信する。さらに、制御部１６は、光源ランプ１１への駆動信号の出力を停止すると、時間の計測を終了するための計測終了要求を累積点灯時間計測部１８に送信する。一方、累積点灯時間計測部１８は、制御部１６から計測開始要求を受信してから計測終了要求を受信するまでの時間を計測し、計測した時間を現在までの累積点灯時間に加算する。
【０１０５】
図８（ａ）〜（d）に、累積点灯時間ごとに定められた冷却時間の初期値、最小値および最大値の例を示す。
【０１０６】
図８に示すように、格納部１７には、冷却時間の初期値ＴＰＣＴＹＰ＿ｎ、最小値ＴＰＣＭＩＮ＿ｎ、および最大値ＴＰＣＭＡＸ＿ｎ（ｎ＝１、２、３）が、累積点灯時間および消灯時間に関連付けて格納される。
【０１０７】
なお、図８に示す例では、冷却時間の初期値、最小値および最大値は、それぞれ、累積点灯時間が長いほど大きい値を用いて、累積点灯時間が短いほど小さい値を用いる。これにより、累積点灯時間が長いほど、冷却時間を長くし、累積点灯時間が短いほど、冷却時間を短くすることができる。
【０１０８】
なお、本実施形態では、冷却時間の初期値、最小値および最大値が累積点灯時間ごとに定められる例を示したが、例えば、短縮条件、短縮時間、延長条件または延長時間も累積点灯時間ごとに定めてもよい。また、冷却時間値、成功カウント値、失敗カウント値、最小冷却時間変数または最大冷却時間変数を累積点灯時間ごとに管理してもよい。
【０１０９】
以上説明したように、本実施形態の格納部１７には、予め定められた、冷却時間の初期値が累積点灯時間と関連付けて格納される。そして、制御部１６は、累積点灯時間計測部１８から取得した累積点灯時間情報に示される累積点灯時間に関連付けられた冷却時間の初期値を用いて冷却時間を算出する。
【０１１０】
これにより、プロジェクター１では、冷却時間の初期値として、光源ランプ１１の現在までの累積点灯時間に応じた適切な値を定めることができ、より少ない回数の点灯判定で、各光源ランプに適した冷却時間を求めることができる。
【０１１１】
以上、実施形態を参照して本願発明を説明したが、本願発明は上記実施形態に限定されるものではない。本願発明の構成や詳細は本願発明のスコープ内で当業者が理解し得る様々な変更が可能である。
【符号の説明】
【０１１２】
１  プロジェクター
１１  光源ランプ
１３  冷却部
１４  消灯時間計測部
１５  判定部
１６  制御部
１７  格納部
１８  累積点灯時間計測部
【図１】
0005451891.tif 000002
【図２】
0005451891.tif 000003
【図３】
0005451891.tif 000004
【図４】
0005451891.tif 000005
【図５】
0005451891.tif 000006
【図６】
0005451891.tif 000007
【図７】
0005451891.tif 000008
【図８】
0005451891.tif 000009